(57)【要約】【課題】  ヒンジユニットのトルクを調節することにより、使用者の条件に合わせてボディーの開閉に要する力を調節して使用に便利な移動通信端末機を提供する。【解決手段】  移動通信端末機は、第１ボディーと、前記第１ボディーと回動可能に連結される第２ボディーと、前記第１ボディーと第２ボディーとの間を回動可能に連結するヒンジ連結部と、前記ヒンジ連結部に装着され、前記第２ボディーを開閉するときに第２ボディーに加わるトルクを調節できるヒンジユニットと、を含むことを特徴とする。【選択図】  図２
2006105392.tif 000002
【特許請求の範囲】
【請求項１】
第１ボディーと、
前記第１ボディーと回動可能に連結される第２ボディーと、
前記第１ボディーと第２ボディーとの間を回動可能に連結するヒンジ連結部と、
前記ヒンジ連結部に装着され、前記第２ボディーを開閉するときに第２ボディーに加わるトルクを調節できるヒンジユニットと、
を含むことを特徴とする移動通信端末機。
【請求項２】
前記ヒンジユニットが、
前記第１ボディーと第２ボディーのいずれか一方に固定され、内部に空間を有するハウジングと、
前記ハウジングの内部に直線移動可能に配置される可動カムと、
前記可動カムと接触し、前記ハウジングの内部に回転可能に配置される固定カムと、
前記固定カムが装着され、前記第１ボディーと第２ボディーのうちの他方に固定されるヘッドと、
前記ハウジングの内部に配置されて前記可動カムを付勢するスプリングと、
前記ハウジングの内部に装着されて前記スプリングの付勢力を可変させることにより第２ボディーの開閉時のトルクを調節するトルク調節部とを含むことを特徴とする請求項１に記載の移動通信端末機。
【請求項３】
前記ハウジングが、両側が開放された多角形状に形成され、前記ハウジングの一方側には前記トルク調節部が外部に露出する貫通孔を有するカバーが装着されることを特徴とする請求項２に記載の移動通信端末機。
【請求項４】
前記ハウジングにはロックホールが形成され、前記カバーには前記ロックホールに係止されるロックフックが形成されることを特徴とする請求項３に記載の移動通信端末機。
【請求項５】
前記トルク調節部が、
前記ハウジングの内部に直線移動可能に配置され、前記スプリングを支持する支持プレートと、
前記支持プレートに装着されて使用者の操作により前記支持プレートを直線移動させる調節ボルトとを含むことを特徴とする請求項２に記載の移動通信端末機。
【請求項６】
前記支持プレートの外周面が前記ハウジングの内周面と同一の多角形状に形成されることを特徴とする請求項５に記載の移動通信端末機。
【請求項７】
前記支持プレートには前記調節ボルトの雄ネジ部が螺合される雌ネジ部が形成されることを特徴とする請求項５に記載の移動通信端末機。
【請求項８】
前記支持プレートとハウジングの内面との間に配置され、前記支持プレートを付勢する支持スプリングをさらに含むことを特徴とする請求項５に記載の移動通信端末機。
【請求項９】
前記調節ボルトの一方側には前記支持プレートの雌ネジ部に螺合される雄ネジ部が形成され、前記調節ボルトの他方側は前記カバーの外部に露出することを特徴とする請求項５に記載の移動通信端末機。
【請求項１０】
前記カバーの外部に露出する前記調節ボルトの他方側の面に工具が挿入される工具挿入溝が形成されることを特徴とする請求項９に記載の移動通信端末機。
【請求項１１】
前記調節ボルトが、回転運動は可能で、直線移動はしないように前記カバーに装着されることを特徴とする請求項９に記載の移動通信端末機。
【請求項１２】
前記調節ボルトの外周面には前記カバーの内面に接触する支持部が形成され、前記カバーの外部に露出する部位にはスナップリングが装着されることを特徴とする請求項１１に記載の移動通信端末機。
【請求項１３】
前記調節ボルトの端部には前記調節ボルトが支持プレートから脱離することを防止するスナップリングが装着されることを特徴とする請求項９に記載の移動通信端末機。
【請求項１４】
ハウジングと、
前記ハウジングの内部に直線移動可能に配置される可動カムと、
前記可動カムと接触し、前記ハウジングの内部に回転可能に配置される固定カムと、
前記ハウジングの内部に配置されて前記可動カムを付勢するスプリングと、
前記ハウジングの内部に装着されて前記スプリングの付勢力を可変させることによりトルクを調節するトルク調節部とを含むことを特徴とするヒンジユニット。
【請求項１５】
前記ハウジングが、両側が開放された多角形状に形成され、前記ハウジングの一方側には前記トルク調節部が外部に露出する貫通孔を有するカバーが装着されることを特徴とする請求項１４に記載のヒンジユニット。
【請求項１６】
前記ハウジングにはロックホールが形成され、前記カバーには前記ロックホールに係止されるロックフックが形成されることを特徴とする請求項１５に記載のヒンジユニット。
【請求項１７】
前記トルク調節部が、
前記ハウジングの内部に直線移動可能に配置され、前記スプリングを支持する支持プレートと、
前記支持プレートに装着されて使用者の操作により前記支持プレートを直線移動させる調節ボルトとを含むことを特徴とする請求項１５に記載のヒンジユニット。
【請求項１８】
前記支持プレートの外周面が前記ハウジングの内周面と同一の多角形状に形成されることを特徴とする請求項１７に記載のヒンジユニット。
【請求項１９】
前記支持プレートには前記調節ボルトの雄ネジ部が螺合される雌ネジ部が形成されることを特徴とする請求項１７に記載のヒンジユニット。
【請求項２０】
前記支持プレートとハウジングの内面との間に配置され、前記支持プレートを付勢する支持スプリングをさらに含むことを特徴とする請求項１７に記載のヒンジユニット。
【請求項２１】
前記調節ボルトの一方側には前記支持プレートの雌ネジ部に螺合される雄ネジ部が形成され、前記調節ボルトの他方側は前記カバーの外部に露出することを特徴とする請求項１７に記載のヒンジユニット。
【請求項２２】
前記カバーの外部に露出する前記調節ボルトの他方側の面に工具が挿入される工具挿入溝が形成されることを特徴とする請求項２１に記載のヒンジユニット。
【請求項２３】
前記調節ボルトが、回転運動は可能で、直線移動はしないように前記カバーに装着されることを特徴とする請求項２１に記載のヒンジユニット。
【請求項２４】
前記調節ボルトの外周面には前記カバーの内面に接触する支持部が形成され、前記カバーの外部に露出する部位にはスナップリングが装着されることを特徴とする請求項２３に記載のヒンジユニット。
【請求項２５】
前記調節ボルトの端部には前記調節ボルトが支持プレートから脱離することを防止するスナップリングが装着されることを特徴とする請求項２１に記載のヒンジユニット。
【発明の詳細な説明】
【技術分野】
【０００１】
本発明は、移動通信端末機に関し、特に、ボディーの開閉に要する力を使用者に合わせて調節できるヒンジユニットとそのヒンジユニットを有する移動通信端末機に関する。
【背景技術】
【０００２】
図７は、従来の技術に係る移動通信端末機の斜視図であり、図８は、従来の技術に係る移動通信端末機のヒンジユニットの分解斜視図であり、図９は、従来の技術に係るヒンジユニットの断面図である。
【０００３】
従来の技術に係る移動通信端末機は、各種回路部品が内蔵され、前面に使用者が情報を入力するキーパッド１０２が備えられ、背面にはバッテリー１０６が装着される第１ボディー１１０と、第１ボディー１１０に回動可能に連結され、使用者が所望する情報を表示するＬＣＤ１１６が備えられる第２ボディー１２０と、第１ボディー１１０と第２ボディー１２０との間を回動可能に連結するヒンジ連結部１１２、１１４と、ヒンジ連結部１１２、１１４に設置され、第２ボディー１２０を開閉するときにトルクを発生するヒンジユニット１２２とから構成される。
【０００４】
ヒンジユニット１２２は、第２ボディー１２０のヒンジ連結部１１４に固定され、内部に空間を有するハウジング１３０と、ハウジング１３０の内部に直線移動可能に装着される可動カム１３２と、可動カム１３２と接触するように配置される固定カム１３４と、固定カム１３４が装着され、第１ボディー１１０のヒンジ連結部１１２に固定されるヘッド１３６と、ハウジング１３０の内部に配置されて可動カム１３２を所定の力で付勢するスプリング１３８とから構成される。
【０００５】
以下、このように構成された従来の技術に係る移動通信端末機のヒンジユニットの動作を説明する。
【０００６】
第２ボディー１２０を開放方向に回動させると、第２ボディー１２０のヒンジ連結部１１４に固定されたハウジング１３０と第１ボディー１１０のヒンジ連結部１１２に固定されたヘッド１３６が相対的に回動する。
【０００７】
そうすると、ヘッド１３６に固定された固定カム１３４が回転運動し、これにより、固定カム１３４の第２カム面１４２が可動カム１３２の第１カム面１４０に沿って回転して可動カム１３２を直線移動させる。そうすると、可動カム１３２に支持されたスプリング１３８が圧縮されて可動カム１３２を付勢することにより、第２ボディー１２０を開閉するときにトルクを発生する。
【０００８】
しかしながら、前述したように構成された従来の技術に係る移動通信端末機のヒンジユニットは、スプリングの付勢力が常に一定であるため、同一のトルクを有する。従って、第２ボディーの開閉に要する力が一定であるため、使用者の個人差に応じて第２ボディーの開閉に要する力を調節することができないという問題があった。
【発明の開示】
【発明が解決しようとする課題】
【０００９】
本発明は、このような従来の技術の問題点を解決するために提案されたもので、本発明の目的は、ヒンジユニットのトルクを調節することにより、使用者の条件に合わせてボディーの開閉に要する力を調節して使用に便利な移動通信端末機を提供することにある。
【課題を解決するための手段】
【００１０】
このような目的を達成するために、本発明に係る移動通信端末機は、第１ボディーと、前記第１ボディーと回動可能に連結される第２ボディーと、前記第１ボディーと第２ボディーとの間を回動可能に連結するヒンジ連結部と、前記ヒンジ連結部に装着され、前記第２ボディーを開閉するときに第２ボディーに加わるトルクを調節できるヒンジユニットと、を含むことを特徴とする。
【００１１】
また、前記ヒンジユニットは、前記第２ボディーと第１ボディーのいずれか一方に固定され、内部に空間を有するハウジングと、前記ハウジングの内部に直線移動可能に配置される可動カムと、前記可動カムと接触し、前記ハウジングの内部に回転可能に配置される固定カムと、前記固定カムが装着され、前記第１ボディーと第２ボディーのうちの他方に固定されるヘッドと、前記ハウジングの内部に配置されて前記可動カムを付勢するスプリングと、前記ハウジングの内部に装着されて前記スプリングの付勢力を変化させることにより第２ボディーの開閉時のトルクを調節するトルク調節部とを含むことを特徴とする。
【００１２】
また、前記トルク調節部は、前記ハウジングの内部に直線移動可能に配置され、前記スプリングを支持する支持プレートと、前記支持プレートに螺合されて使用者の操作により前記支持プレートを直線移動させる調節ボルトとを含むことを特徴とする。
【００１３】
このような目的を達成するために、本発明に係るヒンジユニットは、ハウジングと、前記ハウジングの内部に直線移動可能に配置される可動カムと、前記可動カムと接触し、前記ハウジングの内部に回転可能に配置される固定カムと、前記ハウジングの内部に配置されて前記可動カムを付勢するスプリングと、前記ハウジングの内部に装着されて前記スプリングの付勢力を可変させることによりトルクを調節するトルク調節部とを含むことを特徴とする。
【００１４】
本発明により、以下が提供される。
【００１５】
項目１．
第１ボディーと、
前記第１ボディーと回動可能に連結される第２ボディーと、
前記第１ボディーと第２ボディーとの間を回動可能に連結するヒンジ連結部と、
前記ヒンジ連結部に装着され、前記第２ボディーを開閉するときに第２ボディーに加わるトルクを調節できるヒンジユニットと、
を含むことを特徴とする移動通信端末機。
【００１６】
項目２．
前記ヒンジユニットが、
前記第１ボディーと第２ボディーのいずれか一方に固定され、内部に空間を有するハウジングと、
前記ハウジングの内部に直線移動可能に配置される可動カムと、
前記可動カムと接触し、前記ハウジングの内部に回転可能に配置される固定カムと、
前記固定カムが装着され、前記第１ボディーと第２ボディーのうちの他方に固定されるヘッドと、
前記ハウジングの内部に配置されて前記可動カムを付勢するスプリングと、
前記ハウジングの内部に装着されて前記スプリングの付勢力を可変させることにより第２ボディーの開閉時のトルクを調節するトルク調節部とを含むことを特徴とする項目１に記載の移動通信端末機。
【００１７】
項目３．
前記ハウジングが、両側が開放された多角形状に形成され、前記ハウジングの一方側には前記トルク調節部が外部に露出する貫通孔を有するカバーが装着されることを特徴とする項目２に記載の移動通信端末機。
【００１８】
項目４．
前記ハウジングにはロックホールが形成され、前記カバーには前記ロックホールに係止されるロックフックが形成されることを特徴とする項目３に記載の移動通信端末機。
【００１９】
項目５．
前記トルク調節部が、
前記ハウジングの内部に直線移動可能に配置され、前記スプリングを支持する支持プレートと、
前記支持プレートに装着されて使用者の操作により前記支持プレートを直線移動させる調節ボルトとを含むことを特徴とする項目２に記載の移動通信端末機。
【００２０】
項目６．
前記支持プレートの外周面が前記ハウジングの内周面と同一の多角形状に形成されることを特徴とする項目５に記載の移動通信端末機。
【００２１】
項目７．
前記支持プレートには前記調節ボルトの雄ネジ部が螺合される雌ネジ部が形成されることを特徴とする項目５に記載の移動通信端末機。
【００２２】
項目８．
前記支持プレートとハウジングの内面との間に配置され、前記支持プレートを付勢する支持スプリングをさらに含むことを特徴とする項目５に記載の移動通信端末機。
【００２３】
項目９．
前記調節ボルトの一方側には前記支持プレートの雌ネジ部に螺合される雄ネジ部が形成され、前記調節ボルトの他方側は前記カバーの外部に露出することを特徴とする項目５に記載の移動通信端末機。
【００２４】
項目１０．
前記カバーの外部に露出する前記調節ボルトの他方側の面に工具が挿入される工具挿入溝が形成されることを特徴とする項目９に記載の移動通信端末機。
【００２５】
項目１１．
前記調節ボルトが、回転運動は可能で、直線移動はしないように前記カバーに装着されることを特徴とする項目９に記載の移動通信端末機。
【００２６】
項目１２．
前記調節ボルトの外周面には前記カバーの内面に接触する支持部が形成され、前記カバーの外部に露出する部位にはスナップリングが装着されることを特徴とする項目１１に記載の移動通信端末機。
【００２７】
項目１３．
前記調節ボルトの端部には前記調節ボルトが支持プレートから脱離することを防止するスナップリングが装着されることを特徴とする項目９に記載の移動通信端末機。
【００２８】
項目１４．
ハウジングと、
前記ハウジングの内部に直線移動可能に配置される可動カムと、
前記可動カムと接触し、前記ハウジングの内部に回転可能に配置される固定カムと、
前記ハウジングの内部に配置されて前記可動カムを付勢するスプリングと、
前記ハウジングの内部に装着されて前記スプリングの付勢力を可変させることによりトルクを調節するトルク調節部とを含むことを特徴とするヒンジユニット。
【００２９】
項目１５．
前記ハウジングが、両側が開放された多角形状に形成され、前記ハウジングの一方側には前記トルク調節部が外部に露出する貫通孔を有するカバーが装着されることを特徴とする項目１４に記載のヒンジユニット。
【００３０】
項目１６．
前記ハウジングにはロックホールが形成され、前記カバーには前記ロックホールに係止されるロックフックが形成されることを特徴とする項目１５に記載のヒンジユニット。
【００３１】
項目１７．
前記トルク調節部が、
前記ハウジングの内部に直線移動可能に配置され、前記スプリングを支持する支持プレートと、
前記支持プレートに装着されて使用者の操作により前記支持プレートを直線移動させる調節ボルトとを含むことを特徴とする項目１５に記載のヒンジユニット。
【００３２】
項目１８．
前記支持プレートの外周面が前記ハウジングの内周面と同一の多角形状に形成されることを特徴とする項目１７に記載のヒンジユニット。
【００３３】
項目１９．
前記支持プレートには前記調節ボルトの雄ネジ部が螺合される雌ネジ部が形成されることを特徴とする項目１７に記載のヒンジユニット。
【００３４】
項目２０．
前記支持プレートとハウジングの内面との間に配置され、前記支持プレートを付勢する支持スプリングをさらに含むことを特徴とする項目１７に記載のヒンジユニット。
【００３５】
項目２１．
前記調節ボルトの一方側には前記支持プレートの雌ネジ部に螺合される雄ネジ部が形成され、前記調節ボルトの他方側は前記カバーの外部に露出することを特徴とする項目１７に記載のヒンジユニット。
【００３６】
項目２２．
前記カバーの外部に露出する前記調節ボルトの他方側の面に工具が挿入される工具挿入溝が形成されることを特徴とする項目２１に記載のヒンジユニット。
【００３７】
項目２３．
前記調節ボルトが、回転運動は可能で、直線移動はしないように前記カバーに装着されることを特徴とする項目２１に記載のヒンジユニット。
【００３８】
項目２４．
前記調節ボルトの外周面には前記カバーの内面に接触する支持部が形成され、前記カバーの外部に露出する部位にはスナップリングが装着されることを特徴とする項目２３に記載のヒンジユニット。
【００３９】
項目２５．
前記調節ボルトの端部には前記調節ボルトが支持プレートから脱離することを防止するスナップリングが装着されることを特徴とする項目２１に記載のヒンジユニット。
【発明の効果】
【００４０】
本発明に係る移動通信端末機は、ヒンジユニットにトルク調節部を設置して使用者が直接ヒンジユニットのトルクを調節することにより、ボディーの開閉に要する力を調節することができるため、使用に便利であるという効果がある。
【発明を実施するための最良の形態】
【００４１】
以下、図面を参照して本発明に係る移動通信端末機の実施形態を説明する。
【００４２】
本発明に係る移動通信端末機の実施形態は、複数存在するが、以下は、最も好ましい実施形態について説明する。
【００４３】
図１は、本発明に係る移動通信端末機の斜視図である。
【００４４】
本発明に係る移動通信端末機は、各種回路部品が実装されたＰＣＢが内蔵され、前面に使用者が情報を入力するキーパッド１２が装着された第１ボディー１０と、第１ボディー１０に回動可能に連結され、使用者が所望する情報を表示するＬＣＤ２２が取り付けられる第２ボディー２０と、第１ボディー１０と第２ボディー２０との間を回動可能に連結するヒンジ連結部１４、１６と、ヒンジ連結部１４、１６に設置されて第２ボディー２０を開閉するときにトルクを発生し、使用者によりトルクが調節できるヒンジユニット３０とから構成される。
【００４５】
図２は、本発明に係る移動通信端末機のヒンジユニットの分解斜視図であり、図３は、本発明に係る移動通信端末機のヒンジユニットの断面図である。
【００４６】
ヒンジユニット３０は、第２ボディー２０又は第１ボディー１０のヒンジ連結部１４、１６のいずれか一方に固定され、内部に空間を有するハウジング３２と、ハウジング３２の内部に直線移動可能に配置される可動カム３６と、可動カム３６と接触し、ハウジング３２の内部に回転可能に配置される固定カム３８と、固定カム３８が装着され、第１ボディー１０又は第２ボディー２０のヒンジ連結部１４、１６のうちの他方に固定されるヘッド４０と、ハウジング３２の内部に配置されて可動カム３６を付勢するスプリング４２と、ハウジング３２の内部に装着されて可動カム３６にかかるスプリング４２の付勢力を変化させることにより第２ボディー２０の開閉時のトルクを調節するトルク調節部４４とから構成される。
【００４７】
ハウジング３２は、両側が開放された多角形状に形成され、その一方側面にはカバー３４が被せられる。カバー３４には、ハウジング３２の外周面が挿入されて固定され、トルク調節部４４が外部に露出する貫通孔４６を有する。
【００４８】
ハウジング３２の外周に多数のロックホール４８が形成され、カバー３４の外周にロックホール４８に係止されるロックフック５０が内側方向に折曲形成される。すなわち、ハウジング３２の外周面がカバー３４に挿入されると、ハウジング３２のロックホール４８にカバー３４のロックフック５０が係止されてハウジング３２とカバー３４がロックされる。
【００４９】
ここで、ハウジング３２が第２ボディー２０のヒンジ連結部１６に固定されると、ヘッド４０は第１ボディー１０のヒンジ連結部１４に固定され、ハウジング３２が第１ボディー１０のヒンジ連結部１４に固定されると、ヘッド４０は第２ボディー２０のヒンジ連結部１６に固定される。
【００５０】
可動カム３６は、ハウジング３２の内部に直線移動可能に配置され、外周面がハウジング３２と同一の多角形状に形成されるため、回転運動しない。また、可動カム３６の一方側面には第１カム面５２が形成され、他側面にはスプリング４２の一側端部が支持される。
【００５１】
固定カム３８は、外周面が円状に形成されてハウジング３２の内部に回転可能に配置され、一方側面には第２カム面５４が形成されて可動カム３６の第１カム面５２と接触し、他方側面にはヘッド４０に形成された固定溝５６に挿入される固定部５８が形成される。
【００５２】
また、固定カム３８には長手方向にカムシャフト６０が形成され、カムシャフト６０は、可動カム３６が直線移動可能になるように可動カム３６に挿入されて可動カム３６の直線移動をガイドする。
【００５３】
トルク調節部４４は、外周面がハウジング３２の内周面と同一の多角形状に形成されてハウジング３２の内周面に直線移動可能に配置され、一方側面にスプリング４２の他側端部が支持される支持プレート６２と、支持プレート６２に螺合されて支持プレート６２を直線移動させ、カバー３４に形成された貫通孔４６を通じて一側端部が外部に露出する調節ボルト６４と、支持プレート６２とハウジング３２の内壁面との間に設置されて支持プレート６２の移動時に支持プレート６２が傾くことを防止する支持スプリング６６とから構成される。
【００５４】
支持プレート６２は、外周面が多角形の板状に形成され、中央には調節ボルト６４の雄ネジ部６８が螺合する雌ネジ部７０が形成される。この支持プレート６２は、一方側面にはスプリング４２が支持され、他側面には支持スプリング６６が支持されることにより、調節ボルト６４を回転させると、ハウジング３２の内部で直線移動してスプリング４２の付勢力を調節する。
【００５５】
調節ボルト６４は、図４に示すように、一方側の外周面には調節ボルト６４の雌ネジ部７０に螺合する雄ネジ部６８が形成され、他方側の端部には調節ボルト６４を回転させる工具が挿入される工具挿入溝７４が形成される。
【００５６】
また、調節ボルト６４は、カバー３４の貫通孔４６に回転可能に装着されて直線移動が阻止される。すなわち、調節ボルト６４の一方側には外側方向に延設されてカバー３４の内側面に支持される支持部７２が形成され、カバー３４の外部に露出する部位には円周方向にグルーブ７６が形成されてスナップリング７８が装着される。
【００５７】
このように、調節ボルト６４は、カバー３４の内側面と外側面にそれぞれ支持部７２とスナップリング７８により支持され、回転運動は可能であるが、直線移動は阻止される。
【００５８】
また、調節ボルト６４の端部には調節ボルト６４が支持プレート６２から脱離することを防止するスナップリング８０が装着される。
【００５９】
支持スプリング６６は、一端が支持プレート６２に支持され、他端がカバー３４の内面に支持されることにより、支持プレート６２に所定の力で付勢するため、支持プレート６２が直線移動するときの傾きやねじれを防止する。
【００６０】
以下、このように構成された本発明に係る移動通信端末機の動作を説明する。
【００６１】
図５及び図６は、本発明に係る移動通信端末機のヒンジユニットの動作状態を示す図である。
【００６２】
使用者が工具を使用して調節ボルト６４を正方向に回すと、調節ボルト６４に螺合された支持プレート６２が前進方向に直線移動してスプリング４２の自由長Ｌ１が短くなり、これにより、スプリング４２の付勢力が大きくなる。支持プレート６２は、支持スプリング６６により支持されるため、直線移動するときの傾きやねじれが防止される。
【００６３】
また、反対に、使用者が調節ボルト６４を逆方向に回すと、調節ボルト６４に螺合された支持プレート６２が後退方向に直線移動してスプリング４２の自由長Ｌ２が長くなり、これにより、スプリング４２の付勢力が小さくなる。
【００６４】
このように、使用者が調節ボルト６４を正方向又は逆方向に回してスプリング４２の自由長を調節することにより、スプリング４２の付勢力を可変させる。これにより、可動カム３６の第１カム面５２と固定カム３８の第２カム面５４間にかかる力が変化するため、使用者が第２ボディー２０の開閉に要する力を調節することができる。
【００６５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００６６】
【図１】本発明に係る移動通信端末機の斜視図である。
【図２】本発明に係る移動通信端末機のヒンジユニットの分解斜視図である。
【図３】本発明に係る移動通信端末機のヒンジユニットの断面図である。
【図４】本発明に係る移動通信端末機のヒンジユニットの調節ボルトの斜視図である。
【図５】本発明に係る移動通信端末機のヒンジユニットの動作状態を示す図である。
【図６】本発明に係る移動通信端末機のヒンジユニットの動作状態を示す図である。
【図７】従来の技術に係る移動通信端末機の斜視図である。
【図８】従来の技術に係る移動通信端末機のヒンジユニットの分解斜視図である。
【図９】従来の技術に係るヒンジユニットの断面図である。
【符号の説明】
【００６７】
１０：第１ボディー
１２：キーパッド
１４、１６：ヒンジ連結部
２０：第２ボディー
２２：ＬＣＤ
３０：ヒンジユニット
３２：ハウジング
３４：カバー
３６：可動カム
３８：回転カム
４０：ヘッド
４２：スプリング
４４：トルク調節部
６２：支持プレート
６４：調節ボルト
６６：支持スプリング
【図１】
2006105392.tif 000003
【図２】
2006105392.tif 000004
【図３】
2006105392.tif 000005
【図４】
2006105392.tif 000006
【図５】
2006105392.tif 000007
【図６】
2006105392.tif 000008
【図７】
2006105392.tif 000009
【図８】
2006105392.tif 000010
【図９】
2006105392.tif 000011